(57)【要約】    【課題】  工具が不要であり、ファンモータを筐体に簡単に取付け可能なファンモータ取付構造を提供する。    【解決手段】  開口部15の上部には、対向面６を形成する板金を切起した舌片31，31が形成されている。また、ファンモータ20を据え付ける据付面30には、ファンモータ20を係止するためのランス32，32がブリッジ状に形成されている。ファンモータ20を取り付ける際には、ファンモータ20のリブ24下端を対向面６とランス32，32との間に差し入れ、リブ24をランス32，32に引っ掛け、リブ24上部の取付孔25，25と舌片31，31とをそれぞれ位置合わせし、舌片31，31を取付孔25，25に嵌挿させる。【選択図】  図１
2006322420.tif 000002
【特許請求の範囲】
【請求項１】
取付孔が設けられた外郭部材を備えたファンモータを電子機器の筐体に取り付けてなるファンモータ取付構造において、前記筐体に設けられた係止片が前記外郭部材と係止すると共に、前記筐体に設けられた舌片が前記取付孔に嵌挿して構成されることを特徴とするファンモータ取付構造。
【発明の詳細な説明】
【技術分野】
【０００１】
本発明は、電子機器の筐体に冷却用ファンモータを係止，固定するファンモータ取付構造に関する。
【背景技術】
【０００２】
ユニット型スイッチング電源や小容量の無停電電源（ＵＰＳ）などの電子機器は、多くの熱量を発熱するため、例えば特許文献１のような冷却用ファンモータが取り付けられることが多い。電子機器の筐体にファンモータを取り付ける際には、ビス固定、若しくはブッシングで固定するのが一般的である。
【０００３】
図３は、ファンモータを筐体にねじ固定する場合を示した斜視図であるが、電子機器の金属製筐体１には、取付具としてのねじ３が螺着可能なタップ穴５が、ファンモータユニット２と対向する対向面６の四隅に設けられている。金属製のケーシングにファンモータを内蔵してなるファンモータユニット２の四隅には、ねじ３を挿通可能なねじ通し孔７が、筐体１のタップ孔５の位置に合わせて、ファンモータユニット２の一方（排気面９）から他方（吸気面８）を前記対向面６に対して垂直に貫通するように設けられている。ファンモータ２の四隅に設けられたねじ通し孔７と筐体１の対向面６の四隅に設けられたタップ穴５とが連絡するように、ファンモータユニット２の吸気面８と筐体１の対向面６とを対向させ、ねじ３をファンモータユニット２の排気面９側からねじ通し孔７に挿入し、タップ穴５に螺着することにより、ファンモータユニット２が筐体１に取り付けられる。
【０００４】
筐体１を備える電子機器及びファンモータユニット２を通電させると、ファンモータユニット２内のファン10が回転し、その回転力により筐体１内の温まった空気が、筐体１の開口部15からファン10の回転軸に沿ってファンモータユニット２内に吸気され、ファンモータユニット２の排気口11から排出されることで、筐体１内が冷却される。
【０００５】
このように、ねじ３のような従来の取付具では、ファンモータユニット２を筐体１に取り付ける際に、ドライバなどの工具を用意する必要がある。また、取付作業中においては、ファンモータユニット２を筐体１に位置合わせしながら、ドライバでねじ３をタップ孔５に螺合させるため、ねじ３が脱落，紛失する虞があった。従って、作業性が悪く、工数が多くなるという問題があった。
【０００６】
上記従来の取付具における問題を解決する手段として、特許文献２では、図８に示すように、筐体１の対向面６に係合穴16を形成し、ファンモータユニット２の係合穴16に対応する位置に舌片17を設け、当該舌片17を係合穴16に挿入し、舌片17を上方向から引掛けるように筐体１の対向面６裏側に係合させることで、作業性を向上させたファンケースの取り付け構造が開示されている。このようにすれば、筐体１に設けられたタップ孔５とファンモータユニット２に設けられたタップ孔７との位置合わせが容易に行なえるため、作業性が向上する。
【特許文献１】特開２００３−２０４１７６号公報
【特許文献２】特開２００３−１１３８００号公報
【発明の開示】
【発明が解決しようとする課題】
【０００７】
しかし、ファンモータユニット２を筐体１に取付け固定するには、やはりねじ３のような取付具が必要となり、上述した従来の取付具における懸念が完全に払拭されるには至っていなかった。すなわち、ファンモータユニット２に設けた舌片17を筐体１の対向面６裏側に上方向から引掛けるように係合させた後、ファンモータユニット２を筐体１に取付け固定するには、従来例と同じように、ドライバを用意して、ねじ３を筐体１に設けたタップ穴５に螺合する必要があり、ねじ３が脱落，紛失する虞がある。
【０００８】
そこで本発明は上記問題点に鑑み、工具が不要であり、ファンモータを筐体に簡単に取付け可能なファンモータ取付構造を提供することを目的とする。
【課題を解決するための手段】
【０００９】
本発明の請求項１におけるファンモータ取付構造では、取付孔が設けられた外郭部材を備えたファンモータを電子機器の筐体に取り付けてなるファンモータ取付構造において、前記筐体に設けられた係止片が前記外郭部材と係止すると共に、前記筐体に設けられた舌片が前記取付孔に嵌挿して構成される。
【００１０】
このようにすると、筐体に設けられた舌片とファンモータの取付孔との嵌合によりねじを使用しない固着を可能としているため、ドライバなどの工具が不要となる。舌片を取付孔に嵌挿する際には、筐体に設けられた係止片に外郭部材が引っ掛かり、ファンモータがずれずに安定するため、取付孔部分のみに力を加えるだけで簡単に嵌挿することができる。
【発明の効果】
【００１１】
本発明の請求項１における取付具によれば、工具を用意しなくても、筐体にファンモータを取付けることができ、ファンモータを容易に取付け，取り外し可能となるので、作業性を大幅に改善することができる。
【発明を実施するための最良の形態】
【００１２】
以下、添付図面を参照しながら、本発明におけるファンモータ取付構造の好ましい実施例を説明する。なお、これらの各実施例において、従来例と同一箇所には同一符号を付し、共通する部分の説明は重複するため極力省略する。
【００１３】
図１は、本実施例におけるファンモータ取付構造の組立前の状態、すなわちファンモータを筐体に取り付ける前の状態を示した斜視図である。筐体１には、ファンモータユニット２ではなく、ファンモータ20単体が裸の状態で取り付けられる。本実施例で使用するファンモータ20は、ファンモータの一般的な構成である、外郭部材としての樹脂製のハウジング21内に樹脂製のインペラ22を収納して構成されたものである。ハウジング21は、円環状の支持板部23と、この支持板部23の両端部から放射方向に突出し、矩形板状を形作る枠部としてのリブ24，24とを一体成形してなり、支持部23の内側にインペラ22が収納される。また、リブ24，24の四隅にはねじ３を挿通可能な取付孔25が設けられている。なお、ファンモータ20には、その他の構成として、例えば、モータ，基板，リード線，マグネットなどが備えられる。
【００１４】
本実施例では、ファンモータ20は電子機器の筐体１内部、すなわち従来例と反対になる対向面６の内側に取り付けられる。従って、図１も筐体１内部から見た図になっている。ファンモータ20を取り付ける、筐体１の一面となる対向面６の中央には、千鳥配置となるよう複数列に整然と並べられた六角形状の孔が複数開口されてなる開口部15が設けられている。開口部15の上部２箇所には、対向面６を形成する板金を略垂直に切起した舌片31，31が左右対称の位置に形成されている。舌片31，31は、ファンモータ20の取付孔25に嵌挿してファンモータ20を対向面６に固着するものであり、その幅は取付孔25の径よりも若干大きく形成されている。なお、舌片31は取付孔25に挿入し易くするため先細りのテーパ状に形成するのが好ましい。
【００１５】
また、対向面６と直交する筐体１の底面であり、ファンモータ20を据え付ける据付面30の対向面６近傍２箇所には、ファンモータ20を係止するための係止片としてのランス32，32が左右対称の位置に形成されている。ランス32，32は、据付面30を形成する板金をブリッジ状に切絞る所謂ブリッジ加工して形成され、ファンモータ20を対向面６に取り付ける際にリブ24を係止するものである。
【００１６】
次に、図１及び図２を参照しながら、ファンモータ20を筐体１に取付ける手順について説明する。
【００１７】
ファンモータ20のリブ24下端を対向面６とランス32，32との間に差し入れ、リブ24をランス32，32に引っ掛ける。続いて、リブ24上部の取付孔25，25と舌片31，31とをそれぞれ位置合わせし、取付孔25，25に舌片31，31を宛がう。リブ24の上部に位置する当該取付孔25，25部分に力を加えることにより、舌片31，31が取付孔25，25に嵌挿して行き、突き当たったところでファンモータ20の取付が完了する。このとき、ランス32にリブ24が引っ掛かり、ファンモータ20がずれずに安定するため、当該係止部分を支点としてファンモータ20を回動させるように、取付孔25，25部分のみに力を加えるだけで簡単に嵌挿することができる。
【００１８】
以上のように本実施例では、取付孔25が設けられた外郭部材としてのリブ24を備えたファンモータ20を電子機器の筐体１に取り付けてなるファンモータ取付構造において、筐体１の据付面30に設けられた係止片としてのランス32がリブ24と係止すると共に、筐体１の対向面６に設けられた舌片31が取付孔25に嵌挿して構成される。
【００１９】
このようにすると、筐体１に設けられた舌片31とファンモータ20の取付孔25との嵌合によりねじ３を使用しない固着を可能としているため、ドライバなどの工具が不要となる。舌片31を取付孔25に嵌挿する際には、筐体１に設けられたランス32にリブ24が引っ掛かり、ファンモータ20が安定するため、取付孔25部分のみに力を加えるだけで簡単に嵌挿することができる。以上より、工具を用意しなくても、筐体１にファンモータ20を取付けることができ、ファンモータ20を容易に取付け，取り外し可能となるので、作業性を大幅に改善することができる。
【００２０】
なお、本発明は、上記実施例に限定されるものではなく、本発明の趣旨を逸脱しない範囲で変更可能である。舌片31やランス32の形状や位置は特に限定されず、どのような加工方法により形成しても良い。また、ファンモータ20を構成するハウジング21等に関してもどのような形状のものにも適用可能である。
【図面の簡単な説明】
【００２１】
【図１】本発明の第１実施例におけるファンモータ取付構造の分解斜視図である。
【図２】同上、ファンモータ取付構造の要部断面図である。
【図３】従来例におけるファンモータ取付構造の分解斜視図である。
【図４】同上、ファンモータ取付構造の要部断面図である。
【符号の説明】
【００２２】
１  筐体
20  ファンモータ
24  リブ（外郭部材）
25  取付孔
31  舌片
32  ランス（係止片）
【図１】
2006322420.tif 000003
【図２】
2006322420.tif 000004
【図３】
2006322420.tif 000005
【図４】
2006322420.tif 000006